(57)【特許請求の範囲】
【請求項１】
利用者端末、及び、混雑エリア内の施設に在る情報端末と通信可能な優先パス管理システムであって、
前記利用者端末は、混雑エリア外の駐車場の利用を示す駐車情報を取得して前記優先パス管理システムに送信し、
前記優先パス管理システムは、発行手段と、判定手段を備え、
前記発行手段は、
前記利用者端末から前記駐車情報を受信し、
前記駐車情報に基づいて、前記施設における待ち行列に対して、前記駐車場の利用者の順序を優先するための優先パスを発行し、前記優先パスと前記駐車情報を関連付けて記憶手段に記憶させ、
前記判定手段は、
前記情報端末から、駐車情報を含む前記優先パスの使用要求を受信し、
前記記憶手段が記憶する駐車情報と前記使用要求に含まれる駐車情報とを照合して、前記優先パスの使用可否を判定し、
前記使用可否の判定結果を前記情報端末に送信し、
前記情報端末は、
前記優先パス管理システムから前記判定結果を受信し、前記判定結果に応じて自端末が備える出力手段を制御する、
優先パス管理システム。
【請求項２】
前記駐車情報は、前記駐車場を識別する駐車場ＩＤ、前記駐車場の利用者を識別する利用者ＩＤ、前記駐車場に車を駐車した駐車日時を含む、
請求項１に記載の優先パス管理システム。
【請求項３】
前記発行手段は、前記混雑エリア内の所定の場所と前記駐車場との距離に応じた所定の有効回数を前記優先パスに設定して前記記憶手段に記憶させる、
請求項１又は２に記載の優先パス管理システム。
【請求項４】
前記発行手段は、前記混雑エリア内の所定の場所と前記駐車場との距離に応じた所定の有効期限を前記優先パスに設定して前記記憶手段に記憶させる、
請求項１又は２に記載の優先パス管理システム。
【請求項５】
前記情報端末は、受信した前記判定結果が、前記優先パスが使用できないことを示す場合、その旨を示す情報を出力するように、前記出力手段を制御する、
請求項１乃至４のいずれか１つに記載の優先パス管理システム。
【請求項６】
前記判定手段は、前記使用要求を前記優先パスに関連付けて前記記憶手段に記憶させる、
請求項１乃至５のいずれか１つに記載の優先パス管理システム。
【請求項７】
前記情報端末は出力装置を備え、
前記優先パス管理システムは、前記情報端末から前記出力装置の出力結果を受信し、受信した前記出力結果を前記優先パスに関連付けて前記記憶手段に記憶させる、
請求項１乃至５のいずれか１つに記載の優先パス管理システム。
【請求項８】
前記判定手段は、受信した前記使用要求に対して前記優先パスが使用できると判定した場合に前記記憶手段が記憶する前記優先パスの有効回数を更新する、
請求項１乃至７のいずれか１つに記載の優先パス管理システム。
【請求項９】
利用者端末および混雑エリア内の施設に在る情報端末と通信可能な優先パス管理システムの管理方法であって、
前記利用者端末は、混雑エリア外の駐車場の利用を示す駐車情報を取得して前記優先パス管理システムに送信し、
前記優先パス管理システムは、
前記利用者端末から前記駐車情報を受信し、
前記駐車情報に基づいて、前記施設における待ち行列に対して、前記駐車場の利用者の順序を優先するための優先パスを発行し、前記優先パスと前記駐車情報を関連付けて記憶手段に記憶させ、
前記情報端末から、駐車情報を含む前記優先パスの使用要求を受信し、
前記記憶手段が記憶する駐車情報と前記使用要求に含まれる駐車情報とを照合して、前記優先パスの使用可否を判定し、
前記使用可否の判定結果を前記情報端末に送信し、
前記情報端末は、
前記優先パス管理システムから前記判定結果を受信し、前記判定結果に応じて自端末が備える出力手段を制御する、
優先パス管理システムの管理方法。
【請求項１０】
利用者端末および混雑エリア内の施設に在る情報端末と通信可能な優先パス管理システムの管理プログラムであって、
前記利用者端末は、混雑エリア外の駐車場の利用を示す駐車情報を取得して前記優先パス管理システムに送信し、
前記管理プログラムは、
前記利用者端末から前記駐車情報を受信し、
前記駐車情報に基づいて、前記施設における待ち行列に対して、前記駐車場の利用者の順序を優先するための優先パスを発行し、前記優先パスと前記駐車情報を関連付けて記憶手段に記憶させ、
前記情報端末から、駐車情報を含む前記優先パスの使用要求を受信し、
前記記憶手段が記憶する駐車情報と前記使用要求に含まれる駐車情報とを照合して、前記優先パスの使用可否を判定し、
前記使用可否の判定結果を前記情報端末に送信する、ことをコンピュータに実行させ、
前記情報端末は、
前記優先パス管理システムから前記判定結果を受信し、前記判定結果に応じて自端末が備える出力手段を制御する、
優先パス管理システムの管理プログラム。
【発明の詳細な説明】
【技術分野】
【０００１】  本発明は、Ｐａｒｋ＆Ｒｉｄｅに用いる優先パス管理システム等に関する。
【背景技術】
【０００２】  車を目的地から遠地の駐車場に停め(Park)、電車等の公共交通機関を利用する(Ride)ことで、車の市内への流入を抑制するＰａｒｋ＆Ｒｉｄｅと呼ばれる方策がある。Ｐａｒｋ＆Ｒｉｄｅの利用を促進するために、Ｐａｒｋ＆Ｒｉｄｅの駐車場利用者に対して駐車場、公共交通機関、あるいは、レンタルサイクル等の利用料金を割り引くという施策がとられている。【０００３】  例えば、特許文献１には、目的地までの道路の交通量に応じて駐車場料金を決定するＰａｒｋ＆Ｒｉｄｅシステムが記載されている。
【先行技術文献】
【特許文献】
【０００４】
【特許文献１】特開２００４−１９９５７１号公報
【発明の概要】
【発明が解決しようとする課題】
【０００５】  金銭を対象としたインセンティブだけではＰａｒｋ＆Ｒｉｄｅの利用促進には十分ではない。例えば、Ｐａｒｋ＆Ｒｉｄｅを利用せずに自宅から車で観光地内の駐車場に移動する場合、駐車代金、燃料費を含む往復の交通費が５０００円かかるとする。一方、Ｐａｒｋ＆Ｒｉｄｅを利用し、公共交通機関を使って観光地まで移動する場合、割引される駐車場代金及び公共交通機関料金、及び、燃料費を含む交通費が４５００円であるとする。このような場合、割引金額に対して移動手段が煩雑になるＰａｒｋ＆Ｒｉｄｅを利用する費用対効果が小さいため、自宅から観光地に向かう途中で車を置いていくモチベーションにはつながらない可能性が高い。【０００６】  本発明の目的は、Ｐａｒｋ＆Ｒｉｄｅの駐車場利用者に金銭とは異なる新たなインセンティブを付与し、Ｐａｒｋ＆Ｒｉｄｅの利用促進を可能にする優先パス管理システム等を提供することにある。
【課題を解決するための手段】
【０００７】  本発明の優先パス管理システムの一態様は、利用者端末、及び、混雑エリア内の施設に在る情報端末と通信可能な優先パス管理システムであって、前記利用者端末は、混雑エリア外の駐車場の利用を示す駐車情報を取得して前記優先パス管理システムに送信し、前記優先パス管理システムは、発行手段と、判定手段を備え、前記発行手段は、前記利用者端末から前記駐車情報を受信し、前記駐車情報に基づいて、前記施設における待ち行列に対して、前記駐車場の利用者の順序を優先するための優先パスを発行し、前記優先パスと前記駐車情報を関連付けて記憶手段に記憶させ、前記判定手段は、前記情報端末から、駐車情報を含む前記優先パスの使用要求を受信し、前記記憶手段が記憶する駐車情報と前記使用要求に含まれる駐車情報とを照合して、前記優先パスの使用可否を判定し、前記使用可否の判定結果を前記情報端末に送信し、前記情報端末は、前記優先パス管理システムから前記判定結果を受信し、前記判定結果に応じて自端末が備える出力手段を制御する。【０００８】  本発明の優先パス管理システムの一態様は、混雑エリア外の駐車場に在る駐車場端末、及び、混雑エリア内の施設に在る情報端末と通信可能な優先パス管理システムであって、前記優先パス管理システムは、発行手段と、判定手段を備え、前記発行手段は、前記駐車場端末から、前記駐車場の利用を示す駐車情報を受信し、前記駐車情報に基づいて、前記施設における待ち行列に対して、前記駐車場の利用者の順序を優先するための優先パスを発行し、前記優先パスと前記駐車情報を関連付けて記憶手段に記憶させ、前記判定手段は、前記情報端末から、駐車情報を含む前記優先パスの使用要求を受信し、前記記憶手段が記憶する駐車情報と前記使用要求に含まれる駐車情報とを照合して、前記優先パスの使用可否を判定し、前記使用可否の判定結果を前記情報端末に送信し、前記情報端末は、前記優先パス管理システムから前記判定結果を受信し、前記判定結果に応じて自端末が備える出力手段を制御する。【０００９】  本発明の管理方法の一態様は、利用者端末および混雑エリア内の施設に在る情報端末と通信可能な優先パス管理システムの管理方法であって、前記利用者端末は、混雑エリア外の駐車場の利用を示す駐車情報を取得して前記優先パス管理システムに送信し、前記優先パス管理システムは、前記利用者端末から前記駐車情報を受信し、前記駐車情報に基づいて、前記施設における待ち行列に対して、前記駐車場の利用者の順序を優先するための優先パスを発行し、前記優先パスと前記駐車情報を関連付けて記憶手段に記憶させ、前記情報端末から、駐車情報を含む前記優先パスの使用要求を受信し、前記記憶手段が記憶する駐車情報と前記使用要求に含まれる駐車情報とを照合して、前記優先パスの使用可否を判定し、前記使用可否の判定結果を前記情報端末に送信し、前記情報端末は、前記優先パス管理システムから前記判定結果を受信し、前記判定結果に応じて自端末が備える出力手段を制御する。【００１０】  本発明の管理方法の一態様は、混雑エリア外の駐車場に在る駐車場端末および混雑エリア内の施設に在る情報端末と通信可能な優先パス管理システムの管理方法であって、前記優先パス管理シス���ムは、前記駐車場端末から、前記駐車場の利用を示す駐車情報を受信し、前記駐車情報に基づいて、前記施設における待ち行列に対して、前記駐車場の利用者の順序を優先するための優先パスを発行し、前記優先パスと前記駐車情報を関連付けて記憶手段に記憶させ、前記情報端末から、駐車情報を含む前記優先パスの使用要求を受信し、前記記憶手段が記憶する駐車情報と前記使用要求に含まれる駐車情報とを照合して、前記優先パスの使用可否を判定し、前記使用可否の判定結果を前記情報端末に送信し、前記情報端末は、前記優先パス管理システムから前記判定結果を受信し、前記判定結果に応じて自端末が備える出力手段を制御する。【００１１】
本発明の記憶媒体の一態様は、利用者端末および混雑エリア内の施設に在る情報端末と通信可能な優先パス管理システムの管理プログラムであって、前記利用者端末は、混雑エリア外の駐車場の利用を示す駐車情報を取得して前記優先パス管理システムに送信し、前記管理プログラムは、前記利用者端末から前記駐車情報を受信し、前記駐車情報に基づいて、前記施設における待ち行列に対して、前記駐車場の利用者の順序を優先するための優先パスを発行し、前記優先パスと前記駐車情報を関連付けて記憶手段に記憶させ、前記情報端末から、駐車情報を含む前記優先パスの使用要求を受信し、前記記憶手段が記憶する駐車情報と前記使用要求に含まれる駐車情報とを照合して、前記優先パスの使用可否を判定し、前記使用可否の判定結果を前記情報端末に送信する、ことをコンピュータに実行させ、前記情報端末は、前記優先パス管理システムから前記判定結果を受信し、前記判定結果に応じて自端末が備える出力手段を制御する。
【００１２】
本発明の記憶媒体の一態様は、混雑エリア外の駐車場に在る駐車場端末および混雑エリア内の施設に在る情報端末と通信可能な優先パス管理システムの管理プログラムであって、前記管理プログラムは、前記駐車場端末から、前記駐車場の利用を示す駐車情報を受信し、前記駐車情報に基づいて、前記施設における待ち行列に対して、前記駐車場の利用者の順序を優先するための優先パスを発行し、前記優先パスと前記駐車情報を関連付けて記憶手段に記憶させ、前記情報端末から、駐車情報を含む前記優先パスの使用要求を受信し、前記記憶手段が記憶する駐車情報と前記使用要求に含まれる駐車情報とを照合して、前記優先パスの使用可否を判定し、前記使用可否の判定結果を前記情報端末に送信する、ことをコンピュータに実行させ、前記情報端末は、前記優先パス管理システムから判定結果を受信し、前記判定結果に応じて自端末の出力を制御する。
【発明の効果】
【００１３】  本発明によれば、Ｐａｒｋ＆Ｒｉｄｅの駐車場利用者に新たなインセンティブを付与することが可能となる。また、Ｐａｒｋ＆Ｒｉｄｅの更なる利用促進によって、混雑エリアへの車の流入を抑制することが可能となる。
【図面の簡単な説明】
【００１４】
【図１】Ｐａｒｋ＆Ｒｉｄｅシステムにおける観光施設と駐車場の位置を説明する図である。
【図２】第１の実施形態におけるＰａｒｋ＆Ｒｉｄｅシステムの概要を示す概要図である。
【図３】第１の実施形態における駐車場端末の在る駐車場を説明する模式図である。
【図４】第１の実施形態における駐車場端末の構成を示すブロック図である。
【図５】第１の実施形態における駐車情報を示すデータシートを示す。
【図６】第１の実施形態の駐車場端末が発行する駐車券を示す説明図である。
【図７】第１の実施形態の優先パス管理システムの構成を示すブロック図である。
【図８】第１の実施形態における優先パス設定情報を示すデータシートである。
【図９】第１の実施形態における優先パスデータを示すデータシートである。
【図１０】第１の実施形態における情報端末の構成を示すブロック図である。
【図１１】第１の実施形態における使用要求を示すデータシートである。
【図１２】第１の実施形態におけるＰａｒｋ＆Ｒｉｄｅシステムの動作の一部を示すシーケンス図である。
【図１３】第１の実施形態におけるＰａｒｋ＆Ｒｉｄｅシステムの動作の一部を示すシーケンス図である。
【図１４】第２の実施形態におけるＰａｒｋ＆Ｒｉｄｅシステムの概要を示す概要図である。
【図１５】第２の実施形態の駐車場端末の構成を示すブロック図である。
【図１６】第２の実施形態の利用者端末の構成を示すブロック図である。
【図１７】第２の実施形態におけるＰａｒｋ＆Ｒｉｄｅシステムの動作の一部を示すシーケンスである。
【図１８】第３の実施形態におけるＰａｒｋ＆Ｒｉｄｅシステムの概要を示す概要図である。
【図１９】第３の実施形態における情報端末の在る施設を説明する模式図である。
【図２０】第３の実施形態における情報端末の在る施設を説明する模式図である。
【図２１】第３の実施形態における情報端末の構成を示すブロック図である。
【図２２】第３の実施形態における優先パス管理システムの構成を示すブロック図である。
【図２３】第３の実施形態におけるＰａｒｋ＆Ｒｉｄｅシステムの動作の一部を示すシーケンスである。
【図２４】第１の実施形態における優先パス管理システム等をコンピュータで実現するハードウエア構成を示すブロック図である。
【発明を実施するための形態】
【００１５】  Ｐａｒｋ＆Ｒｉｄｅの利用を更に促進するために駐車場利用者に与えるインセンティブの一つとして時間がある。例えば、Ｐａｒｋ＆Ｒｉｄｅの駐車場の在る遠地から観光地への移動距離（移動時間）の補填として、当該駐車場利用者を対象に、観光地の観光施設で発生する待ち行列に対して、駐車場利用者の順序を優先するための優先パスを発行することが考えられる。
【００１６】  Ｐａｒｋ＆Ｒｉｄｅにより、駐車場から観光地への移動時間がかかったとしても、観光地の観光施設で発生している行列等による待ち時間を、優先パスを使用して減らすことができるため、Ｐａｒｋ＆Ｒｉｄｅを利用する利用者は、全体としては短い時間で効率よく観光を楽しむことができる。
【００１７】  以下の実施形態では、観光地における観光施設を例に説明するが、これに限られない。例えば、観光地は、車の流入を抑制したいエリアであればよく、市街地でもよい。また、駐車場利用者が優先パスを使用する施設は、観光施設に限られず、当該エリア内で待ち行列が発生する施設であればよい。例えば、市街地に在る娯楽施設（映画館、コンサート会場）であってもよい。なお、駐車場利用者が優先パスを使用する施設は、観光施設、娯楽施設等を含んで単に施設と称する場合もある。
【００１８】  以下、Ｐａｒｋ＆Ｒｉｄｅシステムの概要について、図面を用いて説明する。図１は、Ｐａｒｋ＆Ｒｉｄｅシステムにおける観光施設と駐車場の場所を説明する図である。図１中、起点を中心とする実線の円内は、車の流入を抑制したいエリア（以降、混雑エリアと呼ぶ）を模式的に示している。混雑エリアの内側に、上述の優先パスが使用できる観光施設ＴＦX、ＴＦY、ＴＦZが含まれる。なお、観光施設には、テーマパーク、博物館等の遊戯、観賞又は運動のため施設の他、レストラン、宿泊、又は販売店等を含む。
【００１９】  また、駐車場ＰＡ、ＰＢは、混雑エリアよりも外側に位置するＰａｒｋ＆Ｒｉｄｅ用の駐車場である。駐車場ＰＢは、起点を中心とする破線の円の外に位置しており、以下の実施形態では駐車場ＰＢは、駐車場ＰＡよりもさらに遠地に位置するものとして説明する。
【００２０】  （第１の実施形態）  図２は、第１の実施形態のＰａｒｋ＆Ｒｉｄｅシステムの概要を説明する説明図である。図２に示すＰａｒｋ＆Ｒｉｄｅシステム１００は、駐車場端末１１０、優先パス管理システム１２０、及び、情報端末１３０を備える。優先パス管理システム１２０は、駐車場端末１１０、及び、情報端末１３０とそれぞれ通信可能に接続される。以下、駐車場端末１１０、優先パス管理システム１２０、情報端末１３０の構成について説明する。
【００２１】  （駐車場端末）  図３は、第１の実施形態における駐車場端末の在る駐車場を説明する模式図である。以下、駐車場と示すときは、Ｐａｒｋ＆Ｒｉｄｅ用の駐車場を意味する。図３に示すように駐車場１０は、駐車スペース１１、通行ゲート１２、駐車場端末１１０を備える。駐車スペース１１は、車１３を駐車させる空間である。通行ゲート１２は、駐車場１０への出入りを制御する機器である。駐車場端末１１０は、例えば、駐車場の出入口に設置される。駐車場端末１１０は、駐車場の利用に関する情報を処理する端末であり、例えば、車の入退場の情報を処理する。
【００２２】  図４は、第１の実施形態の駐車場端末の構成を示すブロック図である。図４に示す駐車場端末１１０は、受付部１１１、駐車情報生成部１１２、及び、通信部（図示せず）を備える。駐車場端末１１０は、通信部を介して優先パス管理システム１２０と通信する。
【００２３】  受付部１１１は、駐車場１０における車の駐車を受付ける。駐車受付は、例えば、駐車券を発券するために駐車場端末１１０に備わる発券ボタンが押されることである。
【００２４】  駐車情報生成部１１２は、駐車受付に応じて、駐車情報を生成する。図５は、駐車場端末が生成する駐車情報を表すデータシートである。駐車情報には、駐車場ＩＤ、駐車日時、利用者ＩＤが含まれる。
【００２５】  駐車場IDは、駐車場を識別する識別子である。例えば、駐車場ＩＤは「ＰＡ」と表される。駐車日時は、当該駐車場における駐車開始の日時である。駐車日時は、受付部１１１で発券ボタンが押された日時でもよい。利用者IDは、駐車場の利用者を識別する識別子である。利用者IDは、例えば、駐車情報生成部１１２が生成するシリアル番号でもよい。なお、駐車場の利用者を以下、駐車場利用者、又は、単に利用者と示す場合がある。
【００２６】  駐車情報生成部１１２は、生成された駐車情報を２次元コード化し、駐車情報と共に駐車券に表示して発券する。図６は、２次元コードを含む駐車券を示す概要図である。図６に示す駐車券１１５には、駐車場名「駐車場ＰＡ」、駐車を開始した日時「2017-03/30  09:36」、及び、２次元コード１１６が表示されている。
【００２７】  駐車情報生成部１１２が作成する２次元コードには、駐車場ＩＤ、駐車日時、利用者ＩＤの情報が含まれる。なお、必要な駐車情報を含められるのであれば、２次元コード以外を用いてもよい。また駐車券は、紙媒体以外に他の媒体でもよく、例えば、樹脂媒体、電子媒体を利用してもよい。
【００２８】  さらに、駐車場端末１１０は、通信部（図示せず）を介して生成された駐車情報を優先パス管理システム１２０に送信する。駐車場端末１１０による駐車情報の送信は、駐車券を発券する前後いずれのタイミングでもよい。
【００２９】  なお、駐車場端末１１０の機能は、例えば、既存の駐車場に設置されている駐車場自動精算機の一部機能を流用して実現することもできる。
【００３０】  （優先パス管理システム）  優先パス管理システム１２０は、優先パスに関する情報を処理するシステムである。第１の実施形態の優先パス管理システムについて図面を用いて説明する。図７は、第１の実施形態の優先パス管理システムの構成を示すブロック図である。図７に示す優先パス管理システム１２０は、発行部１２１、記憶部１２２、判定部１２３、更新部１２４、及び、通信部（図示せず）を備える。優先パス管理システム１２０は、通信部を介して、駐車場端末１１０、及び、情報端末１３０と通信可能に接続される。
【００３１】  発行部１２１は、駐車場端末１１０から、駐車場の利用を示す駐車情報を受信する。発行部１２１は、受信した駐車情報に基づいて、観光施設における待ち行列に対して、駐車場の利用者の順序を優先するための優先パスを発行する。発行部１２１は、優先パスと駐車情報を関連付けて記憶部１２２に記憶させる。
【００３２】  具体的には、発行部１２１は、予め記憶部１２２に記憶された優先パス設定情報を参照し、受信した駐車情報の駐車場ＩＤに対応する有効回数、あるいは、駐車日時に対応する有効期限を駐車情報に関連付けし、優先パスデータとして記憶部１２２に記憶させる。
【００３３】  図８は、優先パス設定情報を示すデータシートである。優先バス設定情報には、駐車場ＩＤごとの有効回数、及び、有効期限が設定されている。図８に示す優先パス設定情報は、駐車場ＩＤ「ＰＡ」の優先パスの有効回数が「２」、有効期限が「駐車日時＋１２時間」であり、駐車場ＩＤ「ＰＢ」の優先パスの有効回数が「３」、有効期限が「駐車日時＋２４時間」である。
【００３４】  図９は、記憶部１２２に記憶された優先パスデータを示すデータシートである。図９に示す優先パスデータの一例では、利用者ＩＤ「Ｕ１２３」、駐車場ID「ＰＡ」、駐車日時「2017/03/30 09:24」の駐車情報に対して、優先パスの有効回数「２」、有効期限「2017/03/30 21:24」が関連付けされている。
【００３５】  判定部１２３は、情報端末１３０から、駐車情報を含む優先パスの使用要求を受信する。使用要求の詳細は後述する。判定部１２３は、記憶部１２２が記憶する駐車情報と使用要求に含まれる駐車情報とを照合して、優先パスの使用可否を判定する。判定部１２３は、使用可否の判定結果を情報端末１３０に送信する。
【００３６】  具体的には、判定部１２３は、まず、使用要求に含まれる駐車情報が記憶部１２２の優先バスデータに含まれているか照合する。優先バスデータに含まれていない場合、判定部１２３は、使用要求に含まれる駐車情報について優先パスを使用できないと判定する。
【００３７】  次に、使用要求に含まれる駐車情報が優先バスデータに含まれている場合、優先パスデータの有効回数と有効期限を参照し、優先パスの使用可否を判定する。具体的には、判定部１２３は、情報端末１３０から駐車情報を含む使用要求を受信した際、駐車情報に関連する優先パスデータの有効回数が「１」以上、かつ、使用要求の受信日時が有効期限内であれば、使用要求に含まれる駐車情報に関連する優先パスが「使用できる」と判定する。それ以外の場合、判定部１２３は、「使用できない」と判定する。一方、判定部１２３は、優先パスが「使用できる」と判定した場合、更新部１２４に対して、優先パスの更新処理を指示する。
【００３８】  更新部１２４は、データ更新処理の指示に応じて、記憶部１２２に記憶された優先パスデータのうち、優先パスが使用できると判定した駐車情報の有効回数を１回減らし、使用要求に含まれる施設IDと使用要求の受信日時を使用情報として加える。なお、更新部１２４による有効回数の更新処理には、記憶部１２２に記憶された優先パスデータの有効回数を「１」から「０」に更新することを含む。図９の例では、利用者ID「U256」を含む駐車情報に対して、有効回数が「２」となり、使用情報として施設IDと要求日時の組み合わせとして「TFZ：2017/03/30 13:03」が追記されている。
【００３９】  有効回数の更新処理の完了後、判定部１２３は、優先パスの使用可否の判定結果を情報端末１３０に通信部を介して送信する。また、判定部１２３は、更新後の優先パスの有効回数を判定結果とともに情報端末１３０に送信してもよい。
【００４０】  なお、判定部１２３は、使用可否の判定後、有効回数の更新処理の開始前に優先パスの使用可否の判定結果を情報端末１３０に送信してもよい。
【００４１】  （情報端末）  次に、Ｐａｒｋ＆Ｒｉｄｅシステムの情報端末について図面を用いて説明する。情報端末１３０は、混雑エリア内の観光施設に在る端末である。図１０は、第１の実施形態の情報端末の構成を示すブロック図である。図１０に示す情報端末１３０は、取得部１３１、処理部１３２、出力部１３３、通信部（図示せず）を備える。情報端末１３０は、通信部を介して優先パス管理システム１２０と通信可能に接続される。
【００４２】  処理部１３２は、取得した駐車情報を用いて、優先パスの使用要求を作成する。図１１は、第１の実施形態における優先パスの使用要求を示すデータシートである。図１１に示す使用要求には、観光施設を識別するための施設ＩＤ、利用者の２次元コードから取得した駐車情報が含まれる。処理部１３２は、通信部を介して、優先パスの使用要求を優先パス管理システム１２０に送信する。
【００４３】  また、処理部１３２は、優先パス管理システム１２０から送信された判定結果に応じて出力部１３３の出力を制御する。出力部１３３は、ディスプレイ、或いは、音響機器である。ディスプレイの一例は、液晶ディスプレイであり、音響機器の一例は、スピーカである。例えば、処理部１３２は、判定結果として、優先パスが使用できる場合、ディスプレイが「○」を表示するように制御し、優先パスが使用できない場合、ディスプレイが「×」を表示するように制御する。あるいは、処理部１３２は、優先パスが使用できる場合、ディスプレイを緑色で表示するように制御し、優先パスが使用できない場合、ディスプレイを赤色で表示するように制御する。処理部１３２は、判定結果に応じて、異なる音が鳴るように音響機器の音を制御してもよい。
【００４４】  このように処理部１３２が、判定結果に応じて出力部１３３の出力を制御することで、情報端末の在る施設の従業者は、駐車場利用者の優先パスが使用できるか否かを判断することができる。
【００４５】  第１の実施形態のＰａｒｋ＆Ｒｉｄｅシステムの動作について図面を用いて説明する。図１２は、Ｐａｒｋ＆Ｒｉｄｅシステムの動作のうち、駐車場への入庫から優先パスの発行までの処理を示すシーケンス図である。
【００４６】  駐車場端末１１０の受付部１１１は、駐車場端末１１０の発券ボタンが押されることで駐車場１０における車の駐車を受け付け（ステップＳ１０１）、車１３の入庫を駐車情報生成部１１２に通知する。
【００４７】  駐車情報生成部１１２は、駐車場ＩＤ、駐車日時、利用者ＩＤを関連付けた駐車情報を生成する（ステップＳ１０２）。例えば、駐車情報生成部１１２は、発券ボタンが押された日時を駐車日時として、駐車場を識別する駐車場ＩＤと、利用者ＩＤを関連付ける。
【００４８】  次に、駐車情報生成部１１２は、駐車場ＩＤ、駐車日時、及び、利用者ＩＤを含む駐車情報を２次元コード化し、２次元コードが付された駐車券を発券する（ステップＳ１０３）。
【００４９】  さらに、駐車情報生成部１１２は、生成した駐車情報を、通信部を介して優先パス管理システム１２０に送信する。
【００５０】  優先パス管理システム１２０の発行部１２１は、駐車場端末１１０から駐車情報を受信する（ステップＳ１０４）。発行部１２１は、受信した駐車情報に基づいて、施設における待ち行列に対して、駐車場の利用者の順序を優先するための優先パスを発行し、優先パスと駐車情報を関連付けて記憶部１２２に記憶させる。具体的には、発行部１２１は、駐車情報に含まれる駐車場ＩＤに基づいて、優先パス設定情報を参照し、優先パスの有効回数を設定する。さらに、発行部１２１は、受信した駐車情報に含まれる駐車日時を用いて優先パス設定情報を参照し、優先パスの有効期限を設定する（ステップＳ１０５）。
【００５１】  優先パス設定情報に含まれる有効回数又は有効期限は、駐車場の場所によって異なっている。第１の実施形態の図１の例では、混雑エリア内を示す円内の起点から駐車場ＰＡ、ＰＢまでの距離によって有効回数又は有効期限の設定が異なる。
【００５２】  例えば、混雑エリア内の所定の場所を示す起点からより遠い駐車場に対して優先パスの有効回数を多くする又は有効期限を延長する等により、利用者が混雑エリア内でより大きなインセンティブを得られるようにする。複数の観光施設で優先パスの使用を希望する駐車場の利用者は、混雑エリアからより遠地の駐車場に車を駐車するようになり、混雑エリアから車をさらに遠ざけることが可能となる。
【００５３】  混雑エリアの境界から駐車場までの距離が長くなるのに応じて、有効回数を多くし、有効期限を延期するように優先パス設定情報を設定してもよい。また、混雑エリア内の観光施設から駐車場までの距離が長くなるのに応じて、有効回数を多くし、有効期限を延期するように優先パス設定情報を設定してもよい。
【００５４】  図１３は、Ｐａｒｋ＆Ｒｉｄｅシステムの動作のうち、優先パスの使用要求から判定結果を出力するまで処理を示すシーケンス図である。
【００５５】  情報端末１３０の取得部１３１は、利用者の駐車券に印字された２次元コードを読み取り、２次元コードから利用者の駐車情報を取得する（ステップS１１１）。情報端末１３０の処理部１３２は、取得した駐車情報を用いて、駐車情報を含む優先パスの使用要求を作成し（ステップS１１２）、優先パスの使用要求を優先パス管理システム１２０に送信する。
【００５６】  優先パス管理システム１２０の判定部１２３は、観光施設に在る情報端末１３０から、優先パスの使用要求を受信する（ステップS１１３）。判定部１２３は、記憶部１２２が記憶する駐車情報と使用要求に含まれる駐車情報とを照合して、優先パスの使用可否を判定する。さらに、判定部１２３は、優先パスが使用できると判定した場合、更新部１２４に優先パスの有効回数を更新する（ステップS１１４）。具体的には、判定部１２３は、優先パスの更新処理を指示する。更新部１２４は、データ更新処理の指示を受け、記憶部１２２に保存された優先パスデータのうち、使用できると判定した駐車情報の有効回数を１回減らして記憶部１２２に記憶させ、有効回数を更新する。更新部１２４は、使用要求に含まれる施設IDと使用要求の受信日時を使用情報として、更新した優先パスデータに関連付けて記憶部１２２に記憶させる。
【００５７】  優先パス管理システム１２０の判定部１２３は、判定結果を情報端末１３０に送信する（ステップS１１５）。
【００５８】  情報端末１３０の処理部１３２は、優先パス管理システム１２０から判定結果を受信し、判定結果に応じて出力部１３３の出力を制御する（ステップS１１６）。例えば、出力部１３３が音響機器であり、処理部１３２は、判定結果に応じて、異なる音が鳴るように音響機器を制御する。情報端末１３０の在る観光施設の従業者は、出力部１３３から出力される判定結果によって駐車場利用者の優先パスが使用できるか否かを判断することができる。
【００５９】  （第１の実施形態の効果）  第１の実施形態によれば、Ｐａｒｋ＆Ｒｉｄｅの駐車場利用者に時間のインセンティブを付与することが可能となる。その理由は、当該駐車場利用者は、優先パス管理システムが発行する優先パスを使用することで、混雑エリア内の施設で発生している行列による待ち時間を短縮することができるからである。これにより、Ｐａｒｋ＆Ｒｉｄｅの駐車場利用者は、時間効率のよい観光を楽しむことが可能となる。
【００６０】  また、第１の実施形態によれば、Ｐａｒｋ＆Ｒｉｄｅの更なる利用促進を図ることによって、混雑エリアへの車の流入を抑制することが可能となる。
【００６１】  （第２実施形態）  第２の実施形態の優先パス管理システムについて図面を用いて説明する。第１の実施形態では、駐車場端末１１０が駐車情報を優先パス管理システム１２０に送信する例を示したが、第２の実施形態では、駐車場利用者の利用者端末２４０が優先パス管理システム１２０に駐車情報を送信する例を示す。
【００６２】  図１４は、第２の実施形態のＰａｒｋ＆Ｒｉｄｅシステムの概要を示す概要図である。図１４に示すＰａｒｋ＆Ｒｉｄｅシステム２００は、駐車場端末２１０、優先パス管理システム１２０、情報端末１３０、及び、利用者端末２４０を備える。第２の実施形態の優先パス管理システム１２０は、利用者端末２４０、及び、情報端末１３０とそれぞれ通信可能に接続される。以下、主に第２の実施形態における駐車場端末２１０、利用者端末２４０の構成について説明する。
【００６３】  （駐車場端末）  図１５は、第２の実施形態の駐車場端末の構成を示すブロック図である。図１５に示す駐車場端末２１０は、受付部１１１、駐車情報生成部２１２を備える。第２の実施形態の駐車場端末２１０の構成の説明において、第１の実施形態の駐車場端末１１０と同一構成は、同一の符号を付して詳細な説明は省略する。
【００６４】  第２の実施形態の駐車情報生成部２１２は、駐車受付後に生成した駐車情報を優先パス管理システム１２０に送信しない点、送信する第１の実施形態の駐車情報生成部１１２と異なる。駐車情報生成部２１２は、駐車情報を優先パス管理システム１２０へ送信しない以外、第１の実施形態の駐車情報生成部１１２と同様の機能を有する。第２の実施形態では、駐車場端末２１０が生成した駐車情報は、利用者端末２４０によって優先パス管理システム１２０に送信される。
【００６５】  （利用者端末）  図１６は、第２の実施形態の利用者端末の構成を示すブロック図である。図１６に示す利用者端末２４０は、取得部２４１、処理部２４２、通信部（図示せず）を備える。取得部２４１は、駐車場端末２１０が発券した駐車券に印字された２次元コードを読み取り、駐車券の２次元コードから駐車情報を取得する。処理部２４２は、取得した駐車情報を優先パス管理システム１２０に送信する。
【００６６】  次に、第２の実施形態のＰａｒｋ＆Ｒｉｄｅシステムの動作について図面を用いて説明する。図１７は、Ｐａｒｋ＆Ｒｉｄｅシステムの動作のうち、駐車場への入庫から優先パスの発行までの処理を示すシーケンス図である。
【００６７】  図１７に示す駐車場への入庫から優先パスの発行までの処理のうち、ステップS１０１〜ステップS１０３は、図１２に示す第１の実施形態の動作と同じため、詳細な説明は省略する。
【００６８】  ステップS１０３の後、利用者端末２４０の取得部２４１は、駐車場端末２１０が発券した駐車券に印字された２次元コードを読み取り、駐車券の２次元コードから駐車情報を取得する（ステップS２０４）。利用者端末２４０は、取得した駐車情報を優先パス管理システム１２０に送信する。
【００６９】  優先パス管理システム１２０の発行部１２１は、利用者端末２４０から駐車情報を受信する（ステップＳ２０５）。発行部１２１は、受信した駐車情報に基づいて、施設における待ち行列に対して、駐車場の利用者の順序を優先するための優先パスを発行し、優先パスと駐車情報を関連付けて記憶部１２２に記憶させる。具体的には、発行部１２１は、駐車情報に含まれる駐車場ＩＤに基づいて、優先パス設定情報を参照し、優先パスの有効回数を設定する。さらに、発行部１２１は、受信した駐車情報に含まれる駐車日時を用いて優先パス設定情報を参照し、優先パスの有効期限を設定する（ステップＳ１０５）。
【００７０】  なお、第２の実施形態において、利用者端末２４０は、駐車情報を優先パス管理システム１２０に送信する前に、駐車券の２次元コードから駐車情報を取得する例を説明したが、これに限られない。例えば、駐車情報として２次元コードのままの画像を優先パス管理システム１２０に送信してもよい。その場合、優先パス管理システム１２０の発行部１２１は、受信した２次元コード画像をデコードして駐車情報を取り込む。
【００７１】  （第２の実施形態の効果）  第２の実施形態は、第１の実施形態と同様の効果を有する。さらに、第２の実施形態によれば、駐車場端末１１０は、優先パス管理システム１２０に駐車情報を送信する必要がなく、機能を省くことができる。また、利用者端末２４０から駐車情報を優先パス管理システム１２０に送信するので、駐車場利用者が優先パスを必要なときだけ駐車情報を優先パス管理システム１２０に送信すればよい。これにより、第２の実施形態の優先パス管理システム１２０は、駐車情報の数が減るため記憶部の記憶資源を少なくすることが可能となる。
【００７２】  （第３実施形態）  第３の実施形態のＰａｒｋ＆Ｒｉｄｅシステムについて図面を用いて説明する。図１８は、第３の実施形態のＰａｒｋ＆Ｒｉｄｅシステムの概要を示す概要図である。図１８に示すＰａｒｋ＆Ｒｉｄｅシステム３００は、駐車場端末２１０、優先パス管理システム３２０、情報端末３３０、利用者端末２４０を備える。優先パス管理システム３２０は、利用者端末２４０と情報端末３３０と通信可能に接続されている。また、情報端末３３０は、出力装置３３５を備える。出力装置３３５は、情報端末３３０によって制御される制御対象である。
【００７３】  第３の実施形態の情報端末３３０は、判定結果に応じて出力装置３３５を制御する点で第２の実施形態の情報端末１３０と異なる。また、第３の実施形態の優先パス管理システム３２０は、出力装置３３５から送信された出力結果を受信し、優先パスに関連付けして記憶部１２２に記憶させる点で第２の実施形態の優先パス管理システム１２０と異なる。さらに、第３の実施形態の優先パス管理システム３２０は、出力装置３３５から送信された出力結果に応じて、優先パスの有効回数を更新する点で第２の実施形態の優先パス管理システム１２０と異なる。
【００７４】  以下、出力装置３３５の例として、スタジアム入口に設置されるゲート、及び、スーパーマーケットに設置される店舗レジの例を用いて説明する。
【００７５】  図１９は、第３の実施形態の情報端末を適用したスタジアム入口を示す概要図である。図１９に示すスタジアムには、優先入場口と通常入場口の２種類の入口が設けられている。優先入場口には、優先パスを使用する利用者３０１が並び、通常入場口には、優先パスを使用できない者が並ぶ。通常入場口は、入場口に到着した順番にスタジアムに入場する入口である。
【００７６】  優先入場口には、優先パスを使用できる利用者向けのゲート３３１が設置されている。利用者３０１は、通常入場口に待ち行列が発生しているときに、優先入場口のゲート３３１を通過することで、入場するまでの待ち時間を短縮することができる。
【００７７】  情報端末３３０は、制御対象のゲート３３１と通信可能に接続されている。情報端末３３０は、優先入場口で優先パスを使用する利用者３０１の駐車券の２次元コードを読み取り、利用者３０１の駐車券の優先パスの使用要求を優先パス管理システム３２０に送信する。情報端末３３０は、優先パス管理システム３２０から判定結果を受信し、判定結果に応じてゲート３３１の開閉を制御する。具体的には、優先パスが使用できる場合、利用者３０１が優先入場口から入場できるよう情報端末３３０は、ゲート３３１を制御してフラッパーを開く。一方、優先パスが使用できない場合、情報端末３３０は、ゲート３３１のフラッパーを閉じた状態を保持し、優先入場口から入場できないようにする。
【００７８】  また、情報端末３３０は、ゲート３３１を制御したことを示す出力結果を優先パス管理システム３２０に送信する。出力結果は、例えば、ゲート３３１のフラッパーを開閉したこと示す出力結果である。
【００７９】  図２０は、第３の実施形態の情報端末をスーパーパーケットの店舗レジに適用した例を示す概要図である。図２０に示すスーパーマーケットは、優先パス用店舗レジ３３４と通常店舗レジの２種類の入口が設けられている。優先パス用店舗レジ３３４（以下、単に店舗レジ３３４と示す）のレーンには、優先パスを使用する利用者３０１が並び、通常店舗レジのレーンには、優先パスを使用できない者が並ぶ。利用者３０１は、通常店舗レジに待ち行列が発生しているときに、優先パス用店舗レジ３３４を使用することで、店舗レジで商品の精算を開始するまでの時間を短縮することができる。
【００８０】  図２０の店舗レジ３３４は、情報端末３３０を内装した機器であるとする。情報端末３３０は、店舗レジ３３４で優先パスを使用する利用者３０１の駐車券の２次元コードを読み取り、利用者３０１の駐車券の優先パスの使用要求を優先パス管理システム３２０に送信する。情報端末３３０は、優先パス管理システム３２０から判定結果を受信し、判定結果に応じて店舗レジ３３４の会計処理を制御する。具体的には、優先パスが使用できる場合、情報端末３３０は、店舗レジ３３４における商品バーコードの読取りができるようにする。一方、優先パスが使用できない場合、情報端末３３０は、店舗レジ３３４における商品バーコードの読取ができないようにする。
【００８１】  また、情報端末３３０は、店舗レジ３３４を制御したことを示す出力結果を優先パス管理システム３２０に送信する。出力結果は、例えば、店舗レジ３３４の商品バーコード読取機能をＯＮにしたことを示す結果である。
【００８２】  まず、第３の実施形態における情報端末の構成について図面を用いて説明する。図２１は、第３の実施形態の情報端末の構成を示すブロック図である。図２１に示す情報端末３３０は、取得部１３１、処理部３３２、出力部１３３、通信部（図示せず）を備える。情報端末１３０は、通信部を介して優先パス管理システム１２０および出力装置３３５と通信可能に接続される。第３実施形態の情報端末３３０の構成の説明において、第１、第２の実施形態の優先パス管理システムと同一の構成は、同一の符号を付して詳細な説明は省略する。第３の実施形態の情報端末３３０の処理部３３２と第２の実施形態の情報端末１３０の処理部１３２との相違点について説明する。
【００８３】  処理部３３２は、処理部１３２と同様に、取得した駐車情報を用いて、優先パスの使用要求を作成し、優先パス管理システム１２０から送信された判定結果に応じて出力部１３３の出力を制御する。さらに、処理部３３２は、判定結果に応じて出力装置３３５を制御する。出力装置３３５の一例は、図１９に示すゲート３３１又は図２０に示す店舗レジ３３４である。処理部３３２は、例えば、判定結果として優先パスが使用できる場合、ゲート３３１のフラッパーを一時的に開く制御信号をゲート３３１に送信する。また、処理部３３２は、優先パスが使用できない場合、制御信号をゲート３３１に送信しない。
【００８４】  また、情報端末３３０は、出力装置３３５から出力結果を受信し、優先パス管理システム３２０に送信する。
【００８５】  次に、第３の実施形態における優先パス管理システムの構成について図面を用いて説明する。第３実施形態の優先パス管理システム３２０の構成の説明において、第１、第２の実施形態の優先パス管理システムと同一の構成は、同一の符号を付して詳細な説明は省略する。第３の実施形態の優先パス管理システム３２０は、出力装置３３５から送信された出力結果を受信し、優先パスに関連付けして記憶部１２２に記憶させる。
【００８６】  図２２は、第３の実施形態における優先パス管理システムの構成を示すブロック図である。図２２に示す優先パス管理システム３２０は、発行部１２１、記憶部１２２、判定部３２３、更新部３２４を備える。
【００８７】  判定部３２３は、情報端末３３０から、駐車情報を含む優先パスの使用要求を受信する。判定部３２３は、記憶部１２２が記憶する駐車情報と使用要求に含まれる駐車情報とを照合して、優先パスの使用可否を判定する。判定部３２３は、使用可否の判定結果を情報端末３３０に送信する。判定部３２３は、優先パスが使用できると判定した場合、更新部３２４に対して、優先パスの更新処理を指示する。
【００８８】  更新部３２４は、情報端末３３０から出力装置３３５の出力結果、及び、優先パスの更新処理を受信する。更新部３２４は、優先パスの更新指示と、出力装置３３５の出力結果が揃ってから優先パスの更新処理を開始する。更新部３２４は、記憶部１２２に記憶された優先パスデータのうち、優先パスが使用できると判定した駐車情報の有効回数を１回減らし、使用要求に含まれる施設IDと使用要求の受信日時を使用情報として加える。さらに、更新部３２４は、優先パスに関連付け出力結果を記憶部１２２に記憶させる。例えば、観光施設が図１９に示すスタジアムの場合、記憶部１２２に記憶した優先パスデータの使用情報の欄に、優先入場口から入場したこと示すゲート開閉情報が記憶される。
【００８９】  第３の実施形態のＰａｒｋ＆Ｒｉｄｅシステムの動作について図面を用いて説明する。図２３は、第３の実施形態におけるＰａｒｋ＆Ｒｉｄｅシステムの動作の一部を示すシーケンスである。図２３に示すシーケンス図は、情報端末３３０で駐車情報を取得する処理以降の処理を示すシーケンス図である。図２３の説明において、図１３に示す第１の実施形態のＰａｒｋ＆Ｒｉｄｅシステムと同じ動作には同一のステップ番号を記し、詳細な説明は省略する。
【００９０】  優先パス管理システム３２０の判定部３２３は、情報端末１３０から、優先パスの使用要求を受信する（ステップS１１３）。判定部３２３は、記憶部１２２が記憶する駐車情報と使用要求に含まれる駐車情報とを照合して、優先パスの使用可否を判定する（ステップＳ３１４）。判定部３２３は、判定結果を情報端末１３０に送信する（ステップS１１５）。さらに、判定部３２３は、優先パスが使用できると判定した場合、更新部３２４に駐車情報に関連する優先パスの有効回数の更新を指示する。
【００９１】  情報端末３３０の処理部３３２は、優先パス管理システム３２０から判定結果を受信し、判定結果に応じて出力部１３３の出力を制御する（ステップS１１６）。さらに、処理部３３２は、判定結果に応じて出力装置３３５を制御する。情報端末３３０は、出力装置３３５の出力結果を優先パス管理システム３２０に送信する。
【００９２】  例えば、出力装置３３５がゲート３３１の場合、処理部３３２は、判定結果に応じてゲート３３１のフラッパーの開閉を制御する。ゲート３３１を備えた情報端末３３０が在る優先入場口において、駐車場利用者は、判定結果に応じたゲート３３１のフラッパーの開閉によって優先パスが使用できるか否かを判断することができる。
【００９３】  優先パス管理システム３２０の更新部３２４は、情報端末３３０から出力装置の出力結果を受信する（ステップＳ３１８）。
【００９４】  更新部３２４は、データ更新処理の指示と出力装置の出力結果を受け、記憶部１２２に保存された優先パスデータのうち、使用できると判定した駐車情報の有効回数を１回減らして記憶部１２２に記憶させ、有効回数を更新する。（ステップＳ３１９）。更新部３２４は、さらに、更新部３２４は、優先パスに関連付け出力結果を記憶部１２２に記憶させる（ステップＳ３２０）。
【００９５】  （第３の実施形態の効果）  第３の実施形態によれば、優先パス管理システム３２０は、情報端末３３０の出力装置３３５を判定結果に応じて制御することができる。これにより、例えば、スタジアムの優先入場口のゲート３１１において、施設の従業員を配置しなくても済むようにできる。
【００９６】  また、第３の実施形態によれば、優先パス管理システム３２０の更新部３２４は、情報端末３３０の出力装置から出力結果を受信した後に、更新処理を開始するので優先パスの有効回数の管理の精度を高めることができる。
【００９７】  （他の実施形態）  他の実施形態は、第１の実施形態と同様に混雑エリア外の駐車場に在る駐車場端末、及び、混雑エリア内の施設に在る情報端末と通信可能な優先パス管理システムである。他の実施形態は、優先パスの使用可否の判定のために顔認証を取り入れた例である。
【００９８】  優先パス管理システムは、発行部と、判定部とを備える。発行部は、駐車場端末から、駐車した人物の識別情報と、人物が駐車した時刻と、駐車場端末が設置されている駐車場の識別情報とを含む駐車情報を受信する。駐車した人物の識別情報は、駐車場に車を駐車した利用者の顔画像である。例えば、顔画像は、駐車場端末が備えるカメラによって撮像され、駐車場端末から送信される。
【００９９】  発行部は、受信した顔画像から顔の特徴点を抽出する。発行部は、駐車情報に基づいて、施設で利用可能な優先パスを発行し、優先パスと駐車情報とを関連付けて記憶部に記憶させる。
【０１００】  判定部は、情報端末から、施設において優先パスを使用する顧客の識別情報と、その時刻とを含む優先パスの使用要求を受信する。施設において優先パスを使用する顧客とは、例えば、混雑エリア外の駐車場の利用者である。また識別情報とは、顧客の顔画像である。顧客の識別画像と時刻を含む使用要求は、情報端末によって優先パス管理システムに送信される。
【０１０１】  判定部は、使用要求に含まれる識別情報の顔画像から顧客の顔の特徴点を抽出する。判定部は、記憶部が記憶する駐車情報に含まれる識別情報および時刻と、受信した優先パス使用要求に含まれる識別情報および時刻とを比較することにより、受信した使用要求が正当な要求であるか否かを判定する。識別情報の比較は、顔認証技術により実行可能である。判定部は、判定結果を情報端末に送信する。
【０１０２】  情報端末は、判定結果を受信し、判定結果に応じて自端末が備える出力部を制御する。
【０１０３】  判定結果が優先パス使用要求が正当であることを示す場合、情報端末は、優先パスを使用する顧客が他の顧客よりも優先してサービスを享受できるように、自端末が備える出力部を制御する。例えば、出力部がディスプレイである場合、ディスプレイに「○」が表示されるように表示制御する。
【０１０４】  判定結果が優先パス使用要求が正当でないことを示す場合、情報端末は、その旨を示す情報を出力するように、自端末が備える出力部を制御する。例えば、出力部がディスプレイである場合、ディスプレイに「×」が表示されるように表示制御する。
【０１０５】  以上、上述した実施形態を模範的な例として本発明を説明した。しかしながら、本発明は、上述した実施形態には限定されない。即ち、本発明は、本発明のスコープ内において、当業者が理解し得る様々な態様を適用することができる。（ハードウエア構成）  図２４は、第１〜第３の実施形態の駐車場端末、優先パス管理システム、情報端末、及び、第２、第３の実施形態の利用者端末をコンピュータで実現するハードウエア構成を示す図である。
【０１０６】  第１〜第３の実施形態の駐車場端末、優先パス管理システム、情報端末、及び、第２、第３の実施形態の利用者端末の各構成要素は、機能単位のブロックを示している。駐車場端末、優先パス管理システム、情報端末、及び、利用者端末の各構成要素の一部又は全部は、例えば、図２４に示すようなコンピュータ６００とプログラムとの任意の組み合わせにより実現される。コンピュータ６００は、一例として、以下のような構成を含む。ＣＰＵ（Ｃｅｎｔｒａｌ  Ｐｒｏｃｅｓｓｉｎｇ  Ｕｎｉｔ）６０１、ＲＯＭ（Ｒｅａｄ  Ｏｎｌｙ  Ｍｅｍｏｒｙ）６０２、ＲＡＭ（Ｒａｎｄｏｍ  Ａｃｃｅｓｓ  Ｍｅｍｏｒｙ）６０３、ＲＡＭ６０３にロードされるプログラム６０４、プログラム６０４を格納する記憶装置６０５、記憶媒体６０６の読み書きを行うドライブ装置６０７、通信ネットワーク６０９と接続する通信インターフェース６０８、データの入出力を行う入出力インターフェース６１０、各構成要素を接続するバス６１１  駐車場端末、優先パス管理システム、情報端末、及び、利用者端末の各構成要素は、これらの機能を実現するプログラム６０４をＣＰＵ６０１が取得して実行することで実現される。各構成要素の機能を実現するプログラム６０４は、例えば、予め記憶装置６０５又はＲＡＭ６０３に格納されており、必要に応じてＣＰＵ６０１が読み出す。なお、プログラム６０４は、通信ネットワーク６０９を介してＣＰＵ６０１に供給されてもよいし、予め記憶媒体６０６に格納されており、ドライブ装置６０７が当該プログラムを読み出してＣＰＵ６０１に供給してもよい。
【０１０７】  優先パス管理システム等の実現方法には、様々な変形例がある。例えば、優先パス管理システム１２０は、各構成要素にそれぞれ別個のコンピュータ６００とプログラムとの任意の組み合わせにより実現されてもよい。また、優先パス管理システム１２０が備える複数の構成要素が、一つのコンピュータ６００とプログラムとの任意の組み合わせにより実現されてもよい。
【０１０８】  また、例えば、優先パス管理システム１２０の各構成要素の一部又は全部は、その他の汎用または専用の回路、プロセッサ等やこれらの組み合わせによって実現される。これらは、単一のチップによって構成されてもよいし、バスを介して接続される複数のチップによって構成されてもよい。また、コンピュータ６００の代わりにＦＰＧＡ（Ｆｉｅｌｄ−Ｐｒｏｇｒａｍｍａｂｌｅ  Ｇａｔｅ  Ａｒｒａｙ）のようなプログラマブルロジックデバイスを用いてもよい。
【０１０９】  さらに、優先パス管理システム１２０の各構成要素の一部又は全部は、上述した回路等とプログラムとの組み合わせによって実現されてもよい。
【０１１０】  また、優先パス管理システム１２０の各構成要素の一部又は全部が複数のコンピュータ又は回路等により実現される場合には、複数のコンピュータ又は回路等は、集中配置されてもよいし、分散配置されてもよい。例えば、コンピュータ又は回路等は、クライアントアンドサーバシステム、クラウドコンピューティングシステム等、各々が通信ネットワークを介して接続される形態として実現されてもよい。
【０１１１】  以上、実施形態を参照して本願発明を説明したが、本願発明は上記実施形態に限定されるものではない。本願発明の構成や詳細には、本願発明のスコープ内で当業者が理解し得る様々な変更をすることができる。
【符号の説明】
【０１１２】  １０  駐車場  １１  駐車スペース  １２  通行ゲート  １３  車  １００、２００、３００  Ｐａｒｋ＆Ｒｉｄｅシステム  １１０、２１０  駐車場端末  １１１  受付部  １１２  駐車情報生成部  １１５  駐車券  １１６  ２次元コード  １２０、３２０  優先パス管理システム  １２１  発行部  １２２  記憶部  １２３、３２３  判定部  １２４、３２４  更新部  １３０、３３０  情報端末  １３１  取得部  １３２、３３２  処理部  １３３  出力部  ２４０  利用者端末  ２４１  取得部  ２４２  処理部  ３３５  出力装置  ６０１  ＣＰＵ  ６０２  ＲＯＭ（Ｒｅａｄ  Ｏｎｌｙ  Ｍｅｍｏｒｙ）  ６０３  ＲＡＭ  ６０４  プログラム  ６０５  記憶装置  ６０６  記憶媒体  ６０７  ドライブ装置  ６０８  通信インターフェース  ６０９  通信ネットワーク  ６１０  入出力インターフェース  ６１１  バス  ＰＡ、ＰＢ  駐車場  ＴＦX、ＴＦY、ＴＦZ  観光施設
【要約】  「利用者端末、及び、混雑エリア内の施設に在る情報端末と通信可能な優先パス管理システムであって、利用者端末は、混雑エリア外の駐車場の利用を示す駐車情報を取得して優先パス管理システムに送信し、優先パス管理システムは、発行部と、判定部を備え、発行部は、利用者端末から駐車情報を受信し、駐車情報に基づいて、施設における待ち行列に対して、駐車場の利用者の順序を優先するための優先パスを発行し、優先パスと駐車情報を関連付けて記憶部に記憶させ、判定部は、情報端末から、駐車情報を含む優先パスの使用要求を受信し、記憶部が記憶する駐車情報と使用要求に含まれる駐車情報とを照合して、優先パスの使用可否を判定し、使用可否の判定結果を情報端末に送信し、情報端末は、優先パス管理システムから判定結果を受信し、判定結果に応じて自端末が備える出力部を制御する。」【図１】
0006288400.tif 000002
【図２】
0006288400.tif 000003
【図３】
0006288400.tif 000004
【図４】
0006288400.tif 000005
【図５】
0006288400.tif 000006
【図６】
0006288400.tif 000007
【図７】
0006288400.tif 000008
【図８】
0006288400.tif 000009
【図９】
0006288400.tif 000010
【図１０】
0006288400.tif 000011
【図１１】
0006288400.tif 000012
【図１２】
0006288400.tif 000013
【図１３】
0006288400.tif 000014
【図１４】
0006288400.tif 000015
【図１５】
0006288400.tif 000016
【図１６】
0006288400.tif 000017
【図１７】
0006288400.tif 000018
【図１８】
0006288400.tif 000019
【図１９】
0006288400.tif 000020
【図２０】
0006288400.tif 000021
【図２１】
0006288400.tif 000022
【図２２】
0006288400.tif 000023
【図２３】
0006288400.tif 000024
【図２４】
0006288400.tif 000025